(57)【要約】【課題】  地面よりも低い面に載置した貯湯タンク１０を持つ貯湯式給湯装置において、操作容易であり、確実かつ安価な貯湯タンク１０の排水構造を提供する。【解決手段】  排水用の自給式ポンプ装置６２を設けると共に、貯湯タンク１０内の水を排出する必要が生じた場合にはその自給式ポンプ装置６２を用いて貯湯タンク１０内の水を排水することとしている。  これによれば、自給式ポンプ装置６２を設けて用意しておくことで、排水が必要となった時には排水路６０を開けて自給式ポンプ装置６２を駆動させるだけで操作が簡単であり、かつ下水道の状態などとは関係なく確実に排水を行うことができる。また、堀２から下水道３までの暗渠４を構築する排水構造と比べれば、コストを抑えた汎用的な排水構造とすることができる。【選択図】    図１
2005147520.tif 000002
【特許請求の範囲】
【請求項１】
地面よりも低い面に載置した貯湯タンク（１０）と、
前記貯湯タンク（１０）の底部から流出させた水を沸かした後、前記貯湯タンク（１０）の上部に流入させる外部加熱手段（２０）とを備えた貯湯式給湯装置において、
排水用ポンプ手段（６２）を設けると共に、前記貯湯タンク（１０）内の水を排出する必要が生じた場合には前記排水用ポンプ手段（６２）を用いて前記貯湯タンク（１０）内の水を排水することを特徴とする貯湯式給湯装置。
【請求項２】
前記排水用ポンプ手段（６２）として自給式ポンプ装置（６２）を用いたことを特徴とする請求項１に記載の貯湯式給湯装置。
【請求項３】
前記排水用ポンプ手段（６２）を始動させてから所定時間が経過したら停止するように停止タイマー手段（６３）を設けたことを特徴とする請求項１に記載の貯湯式給湯装置。
【請求項４】
前記貯湯タンク（１０）内の水を排水するための排水路（６０）は、前記外部加熱手段（２０）への給水路（２２）から分岐させたことを特徴とする請求項１に記載の貯湯式給湯装置。
【請求項５】
前記排水用ポンプ手段（６２）は、前記貯湯タンク（１０）に流入・流出する湯水の制御を行う制御機能部（３０）内に構成したことを特徴とする請求項１に記載の貯湯式給湯装置。
【発明の詳細な説明】
【技術分野】
【０００１】
本発明は、地面よりも低い面に載置した貯湯タンクに供給した冷水を、外部加熱手段で沸かした後再び貯湯タンクに戻して貯湯し、必要に応じて出湯する貯湯式給湯装置に関するものであり、特に、貯湯タンク内の水を排出する必要が生じた場合の排水構造に関するものである。
【背景技術】
【０００２】
近年、狭小敷地への設置対応や住宅外観の見栄え向上を狙いとして、貯湯タンクを屋内の床下に設置するタイプの貯湯式給湯装置が考えられている。また、設置場所の範囲拡大を狙いとして、貯湯タンクを建物の床下に設置することを特徴とした特許文献１がある。
【特許文献１】実開平７−１８１５７号公報
【発明の開示】
【発明が解決しようとする課題】
【０００３】
しかしながら、上記特許文献１に示すように、貯湯タンクを建物の床下に設置しようとすると、通常の住宅などでは床下寸法が足りず、図３に示すように床下の一部分を掘り下げて、地面よりも低くした面に貯湯タンク１０を載置しなければならない場合が往々にしてある。図３は、本発明を用いない場合の貯湯タンク１０の家屋への設置例を示す断面模式図である。図３において、１は建物の基礎部分であり、その基礎部分１に囲まれた床下内の一部分を掘り下げて専用の堀２を設け、その中に貯湯タンク１０を設置したものである。
【０００４】
ところで貯湯式給湯装置においては、機器を修理する時や長期間使用しない時などに、貯湯タンク内の水を排出しなければならない場合がある。一般の地面より高い面に載置した貯湯タンクにおいては、重力を利用してタンク底部からの自然放水（自然落下）で排水することができる。一方、図３の設置方法においては、貯湯タンク１０のタンク底部に設けた排水口に合わせて堀２の底から地中に埋設した下水管３へと流れ落ちる暗渠４を設け、排水しなければならない事態に備えている。ちなみに図中の５は、雨水枡である。
【０００５】
しかしながら、図３の排水構造では以下の問題点がある。まず、床下面よりも低く掘り下げた堀２の中に収まっている貯湯タンク１０において、そのまた底部に設けられた排水口を開閉するという作業は甚だ困難であり、コストを抑えた手動弁などは使えないこととなる。また、大雨などで下水道３が溢れている場合などには、タンクの排水どころか下水道の水が暗渠４を通って堀２から床下に溢れ出し、床下浸水を引き起こしかねないという問題点がある。
【０００６】
本発明は、上記従来技術の問題点に鑑みて成されたものであり、その目的は、地面よりも低い面に載置した貯湯タンクを持つ貯湯式給湯装置において、操作容易であり、確実かつ安価な貯湯タンクの排水構造を提供することにある。
【課題を解決するための手段】
【０００７】
本発明は上記目的を達成するために、請求項１ないし請求項５に記載の技術的手段を採用する。すなわち、請求項１に記載の発明では、地面よりも低い面に載置した貯湯タンク（１０）と、貯湯タンク（１０）の底部から流出させた水を沸かした後、貯湯タンク（１０）の上部に流入させる外部加熱手段（２０）とを備えた貯湯式給湯装置において、
排水用ポンプ手段（６２）を設けると共に、貯湯タンク（１０）内の水を排出する必要が生じた場合には排水用ポンプ手段（６２）を用いて貯湯タンク（１０）内の水を排水することを特徴としている。
【０００８】
この請求項１に記載の発明によれば、排水用ポンプ手段（６２）を設けて用意しておくことで、排水が必要となった時には排水路（６０）を開けて排水用ポンプ手段（６２）を駆動させるだけで操作が簡単であり、かつ下水道の状態などとは関係なく確実に排水を行うことができる。また、堀（２）から下水道（３）までの暗渠（４）を構築する排水構造と比べれば、コストを抑えた汎用的な排水構造とすることができる。
【０００９】
また、請求項２に記載の発明では、排水用ポンプ手段（６２）として自給式ポンプ装置（６２）を用いたことを特徴としている。この請求項２に記載の発明によれば、他のポンプ装置のように呼び水を施すなどの面倒な作業をすることなく、自給式ポンプ装置（６２）を駆動させるだけの簡単な操作で排水を行うことができる。
【００１０】
また、請求項３に記載の発明では、排水用ポンプ手段（６２）を始動させてから所定時間が経過したら停止するように停止タイマー手段（６３）を設けたことを特徴としている。この請求項３に記載の発明によれば、貯湯タンク（１０）の容量分を汲み出すのに充分な時間だけ駆動したら、停止タイマー手段（６３）で自動的に排水用ポンプ手段（６２）を停止させることができるため、時間やエネルギーの無駄をなくせる。
【００１１】
また、請求項４に記載の発明では、貯湯タンク（１０）内の水を排水するための排水路（６０）は、外部加熱手段（２０）への給水路（２２）から分岐させたことを特徴としている。この請求項４に記載の発明によれば、貯湯タンク（１０）からの吸入口（１１ｂ）を共用することができ、対応が容易である。
【００１２】
また、請求項５に記載の発明では、排水用ポンプ手段（６２）は、貯湯タンク（１０）に流入・流出する湯水の制御を行う制御機能部（３０）内に構成したことを特徴としている。この請求項５に記載の発明によれば、排水用ポンプ手段（６２）や停止タイマー手段（６３）などの排水機構部分も制御機能部（３０）の外装を共用して組立や設置も一緒に行うことができるため、コストを抑えることができる。尚、上記各手段の括弧内の符号は、後述する実施形態に記載の具体的手段との対応関係を示す一例である。
【発明を実施するための最良の形態】
【００１３】
以下、本発明の一実施形態による貯湯式給湯装置を、図１および図２に基づいて説明する。図１は本発明を適用させた貯湯式給湯装置の概略構成と、家屋への設置例とを示す部分断面模式図であり、図２は貯湯式給湯装置の全体構成を示す模式図である。本実施形態の貯湯式給湯装置は、貯湯タンク１０に供給した冷水を、外部加熱手段２０で沸かした後、再び貯湯タンク１０に戻して貯湯し、必要に応じて出湯するものである。
【００１４】
より具体的には、貯湯タンク１０を主としたタンクユニット部と、外部加熱手段であるヒートポンプユニット２０と、詳しくは後述する制御ユニット（制御機能部）３０とから構成されている。設置床面積の大きい貯湯タンク１０は、住宅の隠蔽個所である、例えば、屋内床下部に設置することにより、住宅の外回りと、その住宅に隣接する道路や隣家との境界との間が狭い敷地（以下、狭小敷地と称する。）を有する利用者であっても、貯湯式給湯装置の設置を可能としたうえ、住宅外観の見栄えを向上させている。
【００１５】
そのために、通常の住宅などで床下寸法が足りない場合は、図１に示すように床下の一部分を掘り下げて地面よりも低くした面に貯湯タンク１０を載置している。図１の例では、１は建物の基礎部分であり、その基礎部分１に囲まれた床下内の一部分を掘り下げて専用の堀２を設け、その中に貯湯タンク１０を設置している。そして、貯湯タンク１０をメンテナンスする場合には、床の一部分を開閉可能としたサービスパネル６の部分からアプローチするようになっている。
【００１６】
また、本実施形態の貯湯タンク１０は床下へ入れるために、高さ方向に比べて横方向に長い形状、つまり、横長形状に形成された給湯水を蓄える貯湯容器であり、耐食性に優れた金属製（例えば、ステンレス製）からなるタンク本体１１、およびそのタンク本体１１の外面部には断熱部材１２が配設されて高温の給湯水を長時間に渡って保温することができるようになっている。
【００１７】
また、ヒートポンプユニット２０は、住宅の外壁に面する軒下部などに設置され、貯湯タンク１０とは、給湯路２１と給水路２２との循環水回路により接続されている。制御ユニット３０は、貯湯タンク１０やヒートポンプユニット２０とは別体で、住宅の外壁面などに分離させて設置している。
【００１８】
そして制御ユニット３０には、水道水などを貯湯タンク１０や屋内への給湯配管５１ａ・５１ｂへ供給するための給水路４０と、貯湯タンク１０内の高温水を同じく給湯配管５１ａ・５１ｂへ供給するための高温給湯路５０と、排水路６０などの配管路が接続されている。尚、排水路６０は本発明の要部であり、構成の詳細は後述する。
【００１９】
図２に示すように、貯湯タンク１０の下方部には水道水を導入するための給水導入口１１ａが設けられて給水路４０が接続され、同じく貯湯タンク１０の最下方部には貯湯タンク１０内の最下部の水を吸引する吸入口１１ｂが設けられて上記ヒートポンプユニット２０への給水路２２が接続されている。
【００２０】
尚、給水導入口１１ａには、図示しない給水具が設けられており、給水具から供給される水道水がタンク上方部に蓄えられた高温の湯を使い切るように、水道水と湯とが混合する混合層を乱すことなく、貯湯タンク１０内の湯の層を均一に上方へ押し上げるように供給されるように構成している。
【００２１】
一方、貯湯タンク１０の上部にはヒートポンプユニット２０からの給湯路２１が接続され加熱された湯を吐出する吐出口１１ｃが設けられ、同じく貯湯タンク１０の上部には貯湯タンク１０内の高温の湯を導出するための高温導出口１１ｄが設けられて先の高温給湯路５０が接続されている。
【００２２】
更に、タンク本体１１の上部外壁面には、タンク本体１１内上部の湯温を検出する出湯サーミスタ３３ａが設けられており、高温導出口１１ｄから導出される湯の温度情報を後述する制御装置３００に出力するようになっている。また、タンク本体１１の外壁面には、複数の水位サーミスタ３３ｂ・３３ｃが縦方向にほぼ等間隔で配置され、タンク本体１１内に満たされた給湯水の各水位レベルでの温度情報を後述する制御装置３００に出力するようになっている。従って、後述する制御装置３００は、水位サーミスタ３３ｂ・３３ｃからの温度情報に基づいて、タンク本体１１内上方の沸き上げられた湯とタンク本体１１内下方の沸き上げられる前の水との温度境界位置を検出できるようになっている。
【００２３】
次に、ヒートポンプユニット２０は、ヒートポンプサイクルからなり、貯湯タンク１０の最下部より取り入れた水を加熱して貯湯タンク１０の上部に送る外部加熱手段であり、循環水回路２１・２２の途中に図示しない熱交換器が設けられており、給水路２２から吸入した貯湯タンク１０内の水を高温冷媒との熱交換により加熱し、吐出口１１ｃから貯湯タンク１０内に戻すことにより貯湯タンク１０内の水を沸き上げることができるようになっている。
【００２４】
尚、本実施形態のヒートポンプユニット２０は、図示しない圧縮機・凝縮器・減圧器・蒸発器などのヒートポンプサイクルを構成する冷媒機能部品からなる超臨界ヒートポンプである。この超臨界ヒートポンプとは、高圧側の冷媒圧力が冷媒の臨界圧力以上となるヒートポンプサイクルを言い、例えば、二酸化炭素・エチレン・エタン・酸化窒素などを冷媒とするヒートポンプサイクルである。
【００２５】
ちなみに、超臨界ヒートポンプによれば、一般的なヒートポンプサイクルよりも高温（例えば、８５℃〜９０℃程度）に給湯水を沸き上げることができる。また、ヒートポンプユニット２０は後述する制御装置３００からの制御信号により作動すると共に、作動状態を制御装置３００に出力するようになっている。
【００２６】
次に、制御ユニット３０は、タンクユニット１０側に付設されていた機能部品類を取り出して一つの筐体に構成したものであり、給水路４０・高温給湯路５０・排水路６０・制御装置３００などから構成されている。給水路４０は、貯湯タンク１０に水道水を給水すると共に、高温の湯を所望する給湯温度に温度調節する後述の混合弁５３にも水道水を給水するものである。
【００２７】
よって、上流端が図示しない給水元に接続され、下流端が貯湯タンク１０の給水導入口１１ａと混合弁５３に接続され、この給水路４０に導入される水道水の水圧が所定圧となるように調節すると共に、断水などにおける湯の逆流を防止する減圧逆止弁４１とから構成されている。
【００２８】
尚、減圧逆止弁４１は貯湯タンク１０内の内部圧力が所定圧以下に保つための圧力調整用機能部品であり、メンテナンス時に操作し易いように、貯湯タンク１０より分離させて制御ユニット３０内に構成している。また、減圧逆止弁４１の上流側には温度検出手段である給水サーミスタ３１が設けられており、給水路４０内の温度情報を後述する制御装置３００に出力するようになっている。
【００２９】
高温給湯路５０は、貯湯タンク１０から蓄えられた給湯水を導いて所望する給湯温度に調節して必要給湯個所に供給するものであり、上流端が貯湯タンク１０の高温導出口１１ｄに接続され、下流端が所望する給湯温度に調節された給湯水を供給するように接続された給湯配管５１であり、この給湯配管５１の途中に空気逃がし弁５２が配設された排出配管５１ｃと、湯水混合手段である混合弁５３と、末端が図示しない給湯栓に導くための配管５１ａと、末端が風呂に湯張りするための給湯栓に導くための配管５１ｂなどから構成される。
【００３０】
排出配管５１ｃに設けられた空気逃がし弁５２は、貯湯タンク１０内の圧力が所定圧以上に上昇した場合には、貯湯タンク１０内の湯を外部に排出して、タンク本体１１などにダメージを与えないようにする圧力調整用機能部品である。混合弁５３は貯湯タンク１０から導出される湯（温水）と給水路４０から供給される水道水（冷水）とを混合させて、混合弁５３出口側の湯温が所望する給湯温度になるようにしている。尚、混合弁５３はサーボモータ等の駆動源により弁体を駆動して各経路の開度を調節する電動弁であり、後述する制御装置３００からの制御信号により作動すると共に、作動状態を制御装置３００に出力するようになっている。
【００３１】
そして、この混合弁５３の出口側には、混合湯経路である配管５１ａとその配管５１ａから分岐した配管５１ｂとが接続されている。一方の配管５１ａは図示しない給湯栓やシャワー水栓等へ混合された給湯水を導く配管であり、他方の配管５１ｂは末端がお風呂に給湯する図示しない給湯栓に導く配管である。
【００３２】
そして、配管５１ａには温度検出手段である給湯サーミスタ３２と給湯量検出手段である流量カウンタ５５が設けられている。給湯サーミスタ３２は、配管５１ａ内の温度情報を、流量カウンタ５５は配管５１ａ内の流量情報を後述する制御装置３００に出力するようになっている。
【００３３】
尚、流量カウンタ５５が配管５１ａ内の水の流れを検出したときには、給湯水栓・シャワー水栓などのいずれかで湯が使用されようとしていることである。このとき制御装置３００は、給湯設定温度に応じて、まず給水サーミスタ３１からの温度情報と出湯サーミスタ３３ａからの温度情報とから混合弁５１の開口面積比を概略調節し、その後給湯サーミスタ３２からの温度情報に基づいて給湯温度が設定温度となるようにフィードバックさせて混合弁５１の開口面積比を微細制御するようになっている。
【００３４】
一方、配管５１ｂには、湯張り弁５４および図示しない流量カウンタなどが設けられており、これらは後述する制御装置３００により制御され、配管５１ｂに流れる混合湯を所定量出湯させる開閉弁である。つまり、流量カウンタの流量情報に基づいて設定した所定量の湯張り、または差し湯が行えるようになっている。
【００３５】
排水路６０は本発明の要部であり、貯湯タンク１０内の給湯水を必要に応じて排水するものである。この排水路６０は、先のヒートポンプユニット２０への給水路２２と分岐部６１で分岐させて構成しており、貯湯タンク１０内の水を吸い込む吸入口１１ｂを共用している。この排水路６０の下流側には、仕切り弁として排水時にだけ開ける手動弁６１と、排水時に駆動する自給式ポンプ装置（排水用ポンプ手段）６２とが設けられている。
【００３６】
手動弁６１を開放して自給式ポンプ装置６２を作動させることで貯湯タンク１０内の給湯水の排水が行われると共に、後述する制御装置３００に停止タイマー装置（停止タイマー手段）６３を有しており、排水を開始してから貯湯タンク１０の容量分を汲み出すのに充分な時間だけ自給式ポンプ装置６２が駆動したら、停止タイマー装置６３で自動的に自給式ポンプ装置６２が停止するようになっている。尚、手動弁６１・自給式ポンプ装置６２・停止タイマー装置６３などは操作およびメンテナンスがし易いように、貯湯タンク１０とは分離させて制御ユニット３０内に構成させている。
【００３７】
次に、制御装置３００は、各サーミスタ３１・３２・３３ａ〜３３ｃからの温度情報、流量カウンタ５５からの流量情報、および図示しない操作パネルに設けられた操作スイッチからの操作信号などに基づいて、ヒートポンプユニット２０・減圧逆止弁４１・混合弁５３・湯張り弁５４・自給式ポンプ装置６２などを制御するように構成されている。
【００３８】
また、制御装置３００は、マイクロコンピュータを主体として構成され、内蔵の図示しないＲＯＭには、予め設定された制御プログラムが設けられており、この制御プログラムによりヒートポンプユニット２０・減圧逆止弁４１・混合弁５３・湯張り弁５４などを制御するものである。尚、図示しない操作パネルには、操作スイッチとして、電源スイッチ・給湯設定温度スイッチ・湯張りスイッチ・排水スイッチなどが設けられている。また、図示しない操作パネルは、浴室内や台所などの湯を使用する場所の近傍に設置されている。
【００３９】
次に、以上の構成による貯湯式給湯装置の作動について説明する。まず、図示しない電源スイッチがオンされると、制御装置３００は、ヒートポンプユニット２０を制御させて通常の温調給湯制御を行う。この温調給湯制御が実行されると、制御装置３００は、給湯装置内に設けられた各サーミスタ３１・３２・３３ａ〜３３ｃからの温度情報等や、図示しない操作盤により設定された時刻情報等に基づいて、適宜ヒートポンプサイクルを作動させ貯湯タンク１０内の水を加熱して高温（例えば８５℃の湯）の給湯水を蓄えておく。
【００４０】
そして、給湯栓のいずれかが開弁されると、混合弁５３により貯湯タンク１０から供給される高温の湯と給水路４０から供給される水道水とを混合させて給湯設定温度スイッチにより設定された温度の給湯水が給湯栓から給湯される。このときに、貯湯タンク１０から供給された給湯水の代わりに、給水路４０から貯湯タンク１０の下方部に水道水が供給されるが、上述したように、貯湯タンク１０の下方部に供給される水道水は、貯湯タンク１０内に形成される水道水と給湯水が混合する混合層を乱すことなく、貯湯タンク１０内の給湯水の層を均一に上方へ押し上げるように供給されるため、上方部の給湯水を使い切るまで高温給湯路５０に出湯できる。
【００４１】
尚、制御ユニット３０には、給水路４０・高温給湯路５０・排水路６０・制御装置３００、およびメンテナンス用機能部品を一体に構成させて住宅の外壁面に設置したことにより、これらの機能部品が不具合を起こしてメンテナンスするときに、操作・サービス性が良好となっている。また、ヒートポンプユニット２０においても同様である。
【００４２】
次に、本実施形態での特徴を説明する。まず、地面よりも低い面に載置した貯湯タンク１０と、貯湯タンク１０の底部から流出させた水を沸かした後、貯湯タンク１０の上部に流入させるヒートポンプユニット２０とを備えた貯湯式給湯装置において、排水用ポンプ装置６２を設けると共に、貯湯タンク１０内の水を排出する必要が生じた場合には排水用ポンプ装置６２を用いて貯湯タンク１０内の水を排水するようにしている。
【００４３】
これによれば、排水用ポンプ装置６２を設けて用意しておくことで、排水が必要となった時には排水路６０を開けて排水用ポンプ装置６２を駆動させるだけで操作が簡単であり、かつ下水道の状態などとは関係なく確実に排水を行うことができる。また、堀２から下水道３までの暗渠４を構築する排水構造と比べれば、コストを抑えた汎用的な排水構造とすることができる。
【００４４】
また、排水用ポンプ装置として自給式ポンプ装置６２を用いている。これによれば、他のポンプ装置のように呼び水を施すなどの面倒な作業をすることなく、自給式ポンプ装置６２を駆動させるだけの簡単な操作で排水を行うことができる。
【００４５】
また、排水用ポンプ装置６２を始動させてから所定時間が経過したら停止するように停止タイマー装置６３を設けている。これによれば、貯湯タンク１０の容量分を汲み出すのに充分な時間だけ駆動したら、停止タイマー装置６３で自動的に排水用ポンプ装置６２を停止させることができるため、時間やエネルギーの無駄をなくせる。
【００４６】
また、貯湯タンク１０内の水を排水するための排水路６０は、ヒートポンプユニット２０への給水路２２から分岐させている。これによれば、貯湯タンク１０からの吸入口１１ｂを共用することができ、対応が容易である。
【００４７】
また、排水用ポンプ装置６２は、貯湯タンク１０に流入・流出する湯水の制御を行う制御ユニット３０内に構成している。これによれば、排水用ポンプ装置６２や停止タイマー装置６３などの排水機構部分も、制御ユニット３０の外装を共用して組立や設置も一緒に行うことができるため、コストを抑えることができる。
【００４８】
（その他の実施形態）
上述の実施形態では、貯湯タンク１０を屋内床下部に設置したが、本発明はこれに限るものではなく、地面よりも低い面に載置した貯湯タンクであれば家屋に形成された倉庫、住宅に形成された収納庫などの隠蔽空間に設置してあっても良い。
【００４９】
また、上述の実施形態では、冷媒に二酸化炭素を用いたヒートポンプユニット２０を外部加熱手段としているが、本発明はこれに限るものではなく、フロンや代替フロンなどの冷媒を用いる一般的なヒートポンプサイクルでも良いし、電気・ガス・石油などを用いた外部加熱手段であっても良い。
【００５０】
また、上述の実施形態では、排水路６０はヒートポンプユニット２０への給水路２２から分岐していて貯湯タンク１０からの吸入口１１ｂを共用しており、自給式ポンプ装置６２や停止用タイマー装置６３も制御ユニット３０内に構成していて外装を共用しているが、本発明はこれに限るものではなく、まったく別に排水路６０や自給式ポンプ装置６２などを単独に構成するものであっても良い。
【図面の簡単な説明】
【００５１】
【図１】本発明の一実施形態における貯湯式給湯装置の概略構成と、家屋への設置例とを示す部分断面模式図である。
【図２】本発明の一実施形態における貯湯式給湯装置の全体構成を示す模式図である。
【図３】本発明を用いない場合の貯湯タンク１０の家屋への設置例を示す断面模式図である。
【符号の説明】
【００５２】
１０…貯湯タンク
２０…ヒートポンプユニット（外部加熱手段）
２２…給水路
３０…制御ユニット（制御機能部）
６０…排水路
６２…自給式ポンプ装置（排水用ポンプ手段）
６３…停止タイマー装置（停止タイマー手段）
【図１】
2005147520.tif 000003
【図２】
2005147520.tif 000004
【図３】
2005147520.tif 000005